(57)【特許請求の範囲】
【請求項１】
吸気口と吹出口を有する本体ケースと、前記本体ケース内に設けた送風部と空気浄化部と、前記空気浄化部の水位を検知する第１の水位検知部材と第２の水位検知部材と、前記空気浄化部の排水を促す報知部と、前記第１の水位検知部材と前記第２の水位検知部材からの信号によって前記送風部と前記空気浄化部と前記報知部とを制御する制御部とを備え、前記空気浄化部は、水を貯水するトレイと、前記トレイに水を供給するタンクと、前記トレイに供給された水に下端が浸漬したフィルターと電極とを備え、前記トレイと前記タンクとは前記本体ケースに着脱自在に設けられ、前記第１の水位検知部材と前記第２の水位検知部材は前記トレイと前記本体ケースとに配置され、前記第１の水位検知部材が、前記第２の水位検知部材より上方に配置され、前記トレイ内の水位が前記第１の水位検知部材より下がると前記制御部によって前記送風部と前記空気浄化部とを停止し前記報知部を作動させ、前記本体ケースから前記タンクと前記トレイとを外し、前記トレイ内の水の排水し前記本体ケースに前記トレイを装着したときに、前記トレイ内の水位が前記第２の水位検知部材より下がっていると前記制御部によって前記報知部が停止することを特徴とする空気浄化装置。
【請求項２】
前記トレイは、前記タンクが装着される第１の領域と、前記フィルターが装着される第２の領域と、前記第１の水位検知部材が装着される第３の領域と、前記第２の水位検知部材が装着される第４の領域と、前記電極が装着される第５の領域とを備え、前記第１の領域は前記第２の領域と連通し、前記第２の領域は前記第３の領域と連通し、前記第１の領域と前記第２の領域と前記第３の領域の底面の高さが同じであり、前記第３の領域は前記第４の領域と連通し、前記第３の領域の底面は、前記第４の領域の底面より高いことを特徴とする請求項１に記載の空気浄化装置。
【請求項３】
前記トレイは、前記本体ケースに対して水平方向に着脱自在に設けられ、前記トレイの着脱方向における一方側に取手を備え、前記第１の水位検知部材と前記第２の水位検知部材とは、前記トレイの着脱方向と同じ方向に隣接し、前記第２の水位検知部材と前記取手との距離は、前記第１の水位検知部材と前記取手との距離より長いことを特徴とする請求項１または２に記載の空気浄化装置。
【請求項４】
前記トレイは、水平断面形状が矩形で、前記第２の水位検知部材は、前記トレイの着脱方向における前記トレイの他方側の側面に隣接することを特徴とする請求項３に記載の空気浄化装置。
【請求項５】
前記トレイの着脱方向に対して直交する方向において、前記トレイの一方側の側面に隣接して前記第１の水位検知部材と前記第２の水位検知部材とを配置したことを特徴とする請求項４に記載の空気浄化装置。
【請求項６】
前記トレイの着脱方向に対して直交する方向において、前記トレイの一方側の側面に隣接して前記電極を配置したことを特徴とする請求項５に記載の空気浄化装置。
【請求項７】
前記報知部は排水ランプであり、前記トレイ内の水位が前記第１の水位検知部材より下がると前記制御部によって前記排水ランプが点滅し、前記本体ケースから前記トレイと前記タンクとを外し、前記本体ケースに前記トレイを装着したときに、前記トレイ内の水位が前記第２の水位検知部材より下がっていると前記制御部によって前記排水ランプが消灯することを特徴とする請求項１から６のいずれかに記載の空気浄化装置。
【発明の詳細な説明】
【技術分野】
【０００１】
本発明は、細菌やウィルスなどの浮遊微生物を除去する空気浄化装置に関する。
【背景技術】
【０００２】
水道水を電気分解して電解水を生成し、この電解水を用いて空気中に浮遊するウィルス等の除去を行う空気除菌装置が既に提案されている。
【０００３】
この種の空気除菌装置では、電解水を長時間に亘り循環させると、この電解水に汚れが生じ、この汚れにより電解性能が低下し、除菌性能が低下する。
【０００４】
従って、除菌性能の低下を防止するために、定期的に電解水を排水する排水用タンクと、排水用タンクへ電解水を供給するポンプを備えた構成が考えられている（特許文献１）。
【先行技術文献】
【特許文献】
【０００５】
【特許文献１】特開２０１４−０３９７７８号公報
【発明の概要】
【発明が解決しようとする課題】
【０００６】
このような従来の空気浄化装置においては、定期的に電解水を排水する排水機構が、排水用タンクと、排水用タンクへ電解水を供給するポンプと備えていたことにより、製品が大型化してしまうという課題を有していた。
【０００７】
そこで本発明は、上記従来の課題を解決するものであり、定期的に電解水を排水する排水機構のコンパクト化を図り、本体を小型化した空気浄化装置を提供することを目的とする。
【課題を解決するための手段】
【０００８】
そして、この目的を達成するために、本発明は、吸気口と吹出口を有する本体ケースと、前記本体ケース内に設けた送風部と空気浄化部と、前記空気浄化部の水位を検知する第１の水位検知部材と第２の水位検知部材と、前記空気浄化部の排水を促す報知部と、前記第１の水位検知部材と前記第２の水位検知部材からの信号によって前記送風部と前記空気浄化部と前記報知部とを制御する制御部とを備え、前記空気浄化部は、水を貯水するトレイと、前記トレイに水を供給するタンクと、前記トレイに供給された水に下端が浸漬したフィルターと電極とを備え、前記トレイと前記タンクとは前記本体ケースに着脱自在に設けられ、前記第１の水位検知部材と前記第２の水位検知部材は前記トレイと前記本体ケースとに配置され、前記第１の水位検知部材が、前記第２の水位検知部材より上方に配置され、前記トレイ内の水位が前記第１の水位検知部材より下がると前記制御部によって前記送風部と前記空気浄化部とを停止し前記報知部を作動させ、前記本体ケースから前記タンクと前記トレイとを外し、前記トレイ内の水の排水し前記本体ケースに前記トレイを装着したときに、前記トレイ内の水位が前記第２の水位検知部材より下がっていると前記制御部によって前記報知部が停止することを特徴としたものであり、これにより所期の目的を達成するものである。
【発明の効果】
【０００９】
本発明によれば、
第１の水位検知部材は、第２の水位検知部材より上方に配置され、トレイ内の水位が第１の水位検知部材より下がると制御部によって報知部が作動しトレイ内の水の排水を促し、本体ケースからタンクとトレイとを外し、トレイ内の水の排水し、本体ケースにトレイを装着したときに、トレイ内の水位が第２の水位検知部材より下がっていると制御部によって報知部が停止するという構成とした。
【００１０】
これにより、排水用タンクは電解水を貯水するトレイが兼ねるので、排水用タンクが無くなり、排水用タンクへ電解水を供給するポンプを無くすことができ、排水機構のコンパクト化を図り、本体を小型化できるという効果を得ることができる。
【図面の簡単な説明】
【００１１】
【図１】本発明の実施の形態１の空気浄化装置の斜視図
【図２】同空気浄化装置の斜視図
【図３】同空気浄化装置の断面図
【図４】同空気浄化装置の展開図
【図５】同空気浄化装置の断面図
【図６】同空気浄化装置の空気浄化部を示す断面図（（ａ）タンク内の水がトレイへ供給された状態を示す図、（ｂ）タンク内の水が無くなり、トレイへ水が供給されずトレイの水位が下がった状態を示す図、（ｃ）トレイ内の水が排水された状態を示す図）
【図７】同空気浄化装置の空気浄化部を示す斜視図（（ａ）タンク内の水がトレイへ供給された状態を示す図、（ｂ）タンク内の水が無くなり、トレイへ水が供給されずトレイの水位が下がった状態を示す図、（ｃ）トレイ内の水が排水された状態を示す図）
【図８】同空気浄化装置の空気浄化部を示す平面図
【図９】同空気浄化装置の空気浄化部を示す斜視図
【図１０】同空気浄化装置の空気浄化部を示す平面図
【発明を実施するための形態】
【００１２】
以下、本発明の実施形態について図面を参照しながら説明する。
【００１３】
（実施の形態１）
図１は、本発明の実施の形態１の空気浄化装置の斜視図である。図１は、空気浄化装置を前面側から見た斜視図である。図２は、本発明の実施の形態１の空気浄化装置の斜視図である。図２は、空気浄化装置を背面側から見た斜視図である。
【００１４】
図１、２に示すように、本実施形態の空気浄化装置においては、略箱形状の本体ケース１により構成され、本体ケース１の背面には、略四角形状の吸気口２を設け、また本体ケース１の上面には、背面側に略四角形状の吹出口３を設けている。本体ケース１の前面には、後述する報知部２１を備えている。
【００１５】
図３は、本発明の実施の形態１の空気浄化装置の断面図である。図３は、空気浄化装置を右側から見た断面図である。図４は、本発明の実施の形態１の空気浄化装置の展開図である。図４は、本体ケースからタンクを外した状態で、空気浄化装置を背面側から見た斜視図である。
【００１６】
図３、図４に示すように、本体ケース１内には、吸気口２と吹出口３とを連通する風路４を備え、この風路４には、吸気口２から順に、空気浄化部５と、送風部６、吹出口３とを備えている。
【００１７】
送風部６は、本体ケース１の上部に設けられ、モータ７と、モータ７により回転する羽根車８と、それらを囲むケーシング９とを備えている。
【００１８】
羽根車８は、シロッコファンで、モータ７から水平方向に延びたモータ軸（図示せず）に固定され、モータ７は、ケーシング９に固定されている。ケーシング９は、ケーシング９の本体ケース１における上面側に吐出口９Ａを備え、ケーシングの本体ケース１における前面側に吸込口９Ｂを有している。
【００１９】
空気浄化部５は、水を貯水するトレイ１０と、トレイに水を供給するタンク１１と、トレイ１０内の水で電解水を生成する電極部材１２と、トレイ内の水に一部が浸漬したフィルター部分１３とを備えている。空気浄化部５は、送風部６より下方に配置されている。
【００２０】
トレイ１０は、天面を開口した箱形状をしており、水を貯水できる構造となっており、本体ケース１の下部に配置され、本体ケース１の下部から水平方向にスライドして着脱可能となっている。
【００２１】
タンク１１は、本体ケース１内部の右側側面に、着脱自在に設置され、トレイ１０から着脱可能な構造となっている。
【００２２】
タンク１１はキャップ１４により密閉できる構造となっているが、トレイ１０にタンク１１を設置すると、キャップ１４に設けられた水栓が解放され、水がトレイ１０に供給される構造となっている。水面が水栓まで上昇してくると、水面によりタンク１１が密閉され、水の供給が停止し、常に一定量の水を供給することができる。
【００２３】
電極部材１２は、複数枚の電極板（図示せず）で構成されており、この電極板がトレイ１０内の水に浸かるように設置され、これらの電極部材１２に通電することによりトレイ１０内の塩化物イオンを含む水（本実施例では水道水に塩化ナトリウムを溶解させた水）を電気化学的に電気分解することにより、電解水を生成させる。
【００２４】
フィルター部分１３は、トレイ１０において電極部材１２により生成された電解水と、送風部６によって本体ケース１内に吸込まれた室内空気とを接触させる部材である。円筒状に構成され、円周部分に空気が流通可能な孔を備えたフィルター１５を配置し、その一端がトレイ１０の電解水に浸漬するように、トレイ１０に回転自在に内蔵されている。そして、駆動部（図示しない）による回転され、電解水と室内空気を連続的に接触させる構造となっている。
【００２５】
本体ケース１の上部には、制御部１６を備えている。制御部１６は、基板部分１７と、基板部分１７を覆う基板ケース部分１８とを有している。
【００２６】
制御部１６は、後述する第１の水位検知部材と第２の水位検知部材からの信号によって送風部６と、空気浄化部５と、報知部２１とを制御する。報知部２１は、空気浄化部５のトレイ１０内の水の排水を、使用者に促すものである。
【００２７】
以上の構成において、空気浄化装置の動作を説明する。
【００２８】
タンク１１により水道水がトレイ１０に供給される。このときユーザーにより、塩化ナトリウムが同時にトレイ１０に投入される。塩化物イオンを含んだ水に対して、電極部材１２により通電され、電気分解して、活性酸素種を含む電解水を生成する。
【００２９】
ここで、活性酸素種とは、通常の酸素よりも高い酸化活性を持つ酸素分子と、その関連物質のことであり、スーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素を含むものである。
【００３０】
電解水は、フィルター部分１３の回転によりフィルター１５全体を浸漬し、送風部６により、吸気口２から本体ケース１内に吸込まれた室内空気と接触することになる。
【００３１】
室内空気とともに本体ケース１内に吸込まれる、空気中の細菌、真菌（カビ）、ウイルス、臭い成分などは、フィルター１５上で、電解水と接触することにより、分解、不活化などがなされ、浄化された空気が、吹出口３から、室内に供給されることになる。
【００３２】
図５は、本発明の実施の形態１の空気浄化装置の断面図である。図５は、本体ケースにおける下部、空気浄化部を水平面で断面にし、本体ケースにおける上方から見た図である。
【００３３】
図６は、本発明の実施の形態１の空気浄化装置の空気浄化部を示す断面図である。図６（ａ）は、タンク内の水がトレイへ供給され、第１のフロートと第２のフロートとが、上方へ回動した状態を示す図である。図６（ｂ）は、タンク内の水が無くなり、トレイへ水が供給されずトレイの水位が下がり、第２のフロートが上方へ回動した状態で、第１のフロートが下方へ回動した状態を示す図である。図６（ｃ）は、トレイ内の水が排水されトレイの水が無くなり、第１のフロートと第２のフロートとが、下方へ回動した状態を示す図である。
【００３４】
図７は、本発明の実施の形態１の空気浄化装置の空気浄化部を示す斜視図である。図７（ａ）は、タンク内の水がトレイへ供給され、第１のフロートと第２のフロートとが、上方へ回動した状態を示す図である。図７（ｂ）は、タンク内の水が無くなり、トレイへ水が供給されずトレイの水位が下がり、第２のフロートが上方へ回動した状態で、第１のフロートが下方へ回動した状態を示す図である。図７（ｃ）は、トレイ内の水が排水されトレイの水が無くなり、第１のフロートと第２のフロートとが、下方へ回動した状態を示す図である。
【００３５】
図５、６、７に示すように、本体ケース１とトレイ１０に、トレイ１０内の水位を検知する２つの検知部材である第１の水位検知部材１９と第２の水位検知部材２０とを設けている。
【００３６】
具体的には、第１の水位検知部材１９は、第１のフロート１９Ａと、第１の磁石（図示せず）と、第１の検知基板１９Ｂとを備えている。
【００３７】
第１のフロート１９Ａは、四角形の板形状で、第１のフロート１９Ａの一方側に回動中心となる軸（図示せず）を備え、この軸がトレイ１０に装着され、第１のフロート１９Ａの他方側が上下方向に回動する。第１のフロート１９Ａは水に浮くので、トレイ１０内にタンク１１内の水が供給されると、第１のフロート１９Ａが上方向へ回動し、第１のフロート１９Ａの上面が水平になる。トレイ１０内の水が減少すると、第１のフロート１９Ａが下方向へ回動し、第１のフロート１９Ａの他方側が、第１のフロート１９Ａの一方側より下方に移動する。第１のフロート１９Ａの他方側には、第１の磁石が固定されている。第１のフロート１９Ａの上面が水平の状態で、第１の磁石に対向するように、本体ケース１には、第１の検知基板１９Ｂが設けられている。第１の検知基板１９Ｂは、第１の磁石の磁力を検知し、第１の検知基板１９Ｂと第１の磁石との距離が、所定の距離以上離れているかを判断できるものである。
【００３８】
一方、第２の水位検知部材２０は、第２のフロート２０Ａと、第２の磁石（図示せず）と、第２の検知基板２０Ｂとを備えている。
【００３９】
第２のフロート２０Ａは、四角形の板形状で、第２のフロート２０Ａの一方側に回動中心となる軸（図示せず）を備え、この軸がトレイ１０に装着され、第２のフロート２０Ａの他方側が上下方向に回動する。第２のフロート２０Ａは水に浮くので、トレイ１０内にタンク１１内の水が供給されると、第２のフロート２０Ａが上方向へ回動し、第２のフロート２０Ａの上面が水平になる。トレイ１０内の水が減少すると、第２のフロート２０Ａが下方向へ回動し、第２のフロート２０Ａの他方側が、第２のフロート２０Ａの一方側より下方に移動する。第２のフロート２０Ａの他方側には、第２の磁石が固定されている。第２のフロート２０Ａの上面が水平の状態で、第２の磁石に対向するように、本体ケース１には、第２の検知基板２０Ｂが設けられている。第２の検知基板２０Ｂは、第２の磁石の磁力を検知し、第２の検知基板２０Ｂと第２の磁石との距離が、所定の距離以上離れているかを判断できるものである。
【００４０】
本実施形態における特徴は、第１の水位検知部材１９と第２の水位検知部材２０が、トレイ１０と本体ケースとに配置され、第１の水位検知部材１９が、第２の水位検知部材２０より上方に配置されている点である。
【００４１】
トレイ１０内の水位が第１の水位検知部材１９より下がると、制御部１６によって送風部６と空気浄化部５とを停止し、報知部２１を作動させる。この時に、使用者は、本体ケース１からタンク１１とトレイ１０とを外し、トレイ１０内を洗い、トレイ１０内の水を排水する。ここで、本体ケース１にトレイ１０を装着したときに、トレイ１０内の水位が第２の水位検知部材２０より下がっていると、制御部１６によって報知部２１が停止する。一方、本体ケース１にトレイ１０を装着したときに、トレイ１０内の水位が第２の水位検知部材２０より下がっていないと、制御部１６によって報知部２１が停止されず、報知部２１の動作が継続する。
【００４２】
これにより、排水用タンクは電解水を貯水するトレイ１０が兼ねるので、排水用タンクが無くなり、排水用タンクへ電解水を供給するポンプも無くすことができ、排水機構のコンパクト化を図り、本体を小型化できるという効果を得ることができる。
【００４３】
なお、この点について、詳しく説明すると、最初に、タンク１１に水道水が入っていると、タンク１１により水道水がトレイ１０に供給され、第１のフロート１９Ａと第２のフロート２０Ａとが、上面が水平になるまで、上方へ回動する。（図６（ａ）、図７（ａ）参照）。この状態で、ユーザーにより、塩化ナトリウムが同時にトレイ１０に投入される。塩化物イオンを含んだ水に対して、電極部材１２により通電され、電気分解して、活性酸素種を含む電解水を生成する。
【００４４】
次に、タンク１１の水が無くなると、水面が下がり、第１のフロート１９Ａが、下方へ回動し、上面が傾いた状態となる。（図６（ｂ）、図７（ｂ）参照）。この状態になると、制御部１６によって送風部６と電極部材１２への通電を停止し、報知部２１を作動させる。この時に、使用者は、本体ケース１からタンク１１とトレイ１０とを外し、トレイ１０内を洗い、トレイ１０内の水を排水する。
【００４５】
そして、本体ケース１にトレイ１０を装着したときに、トレイ１０内に水が残っていないと、第２のフロート２０Ａが下方へ回動し、上面が傾いた状態となる。（図６（ｃ）、図７（ｃ）参照）。この状態になると、制御部１６によって報知部２１が停止する。
【００４６】
一方、本体ケース１にトレイ１０を装着したときに、トレイ１０内の水が残っていると、第２のフロート２０Ａが下方へ回動せず、上面が水平な状態のままとなり、制御部１６によって報知部２１が停止されず、報知部２１の動作が継続する。
【００４７】
図８は、本発明の実施の形態１の空気浄化装置の空気浄化部を示す平面図である。図８は、フィルターと第１のフロートと第２のフロートとを外した状態で上方から見た図である。図９は、本発明の実施の形態１の空気浄化装置の空気浄化部を示す斜視図である。図９は、本体ケースにおける右側前面から見た図である。
【００４８】
図８に示すように、トレイ１０は、タンク１１が装着される第１の領域２２と、フィルターが装着される第２の領域２３と、第１の水位検知部材が装着される第３の領域２４と、第２の水位検知部材が装着される第４の領域２５と、電極が装着される第５の領域２６とを備えている。
【００４９】
第１の領域２２は第２の領域２３と連通し、第２の領域２３は第３の領域２４と連通している。第１の領域２２の底面と、第２の領域２３の底面と、第３の領域２４の底面とは同じ高さである。第３の領域２４は第４の領域２５と連通し、第３の領域２４の底面は、第４の領域２５の底面より高いものである。トレイ１０の底面は、第２の領域２３の底面から順に、第３の領域２４の底面、第３の領域２４の底面と低くなっている。タンク１１が装着される第１の領域２２に溜まった水は、第２の領域２３、第３の領域２４、第４の領域２５へと順に流れ込む構成である。
【００５０】
これにより、使用者は、本体ケース１からタンク１１とトレイ１０とを外し、トレイ１０内を洗い、トレイ１０内の水を排水し、少量の水がトレイ１０内に残った場合に、底面が最も低い第４の領域２５に水が溜まるので、第４の領域２５に装着された第２の水位検知部材２０によって水位を検知できるものである。
【００５１】
図１０は、本発明の実施の形態１の空気浄化装置の空気浄化部を示す斜視図である。図９は、本体ケースにおける右側前面から見た図である。図１０は、本発明の実施の形態１の空気浄化装置の空気浄化部を示す平面図である。図１０は、上方から見た図である。
【００５２】
図９、１０に示すように、トレイ１０は、本体ケース１に対して水平方向に着脱自在に設けられ、トレイ１０の着脱方向Ａにおける一方側（図１０における右側）に取手２７を備えている。
【００５３】
第１の水位検知部材１９と第２の水位検知部材２０とは、トレイ１０の着脱方向Ａと同じ方向に隣接している。第２の水位検知部材２０と取手２７との距離Ｂは、第１の水位検知部材１９と取手２７との距離Ｃより長いものである。第１の水位検知部材１９と第２の水位検知部材２０とは、トレイ１０の着脱方向Ａにおける他方側（図１０における左側）に配置されている。そして、トレイ１０の取手２７をもって、トレイ１０を本体ケース１の下部に挿入する場合、挿入方向の先端側であり、トレイ１０の着脱方向Ａにおける他方側（図１０における左側）である第１の水位検知部材１９と第２の水位検知部材２０より、トレイ１０の着脱方向Ａにおける一方側（図１０における右側）の取手２７は、高くなる。
【００５４】
これにより、トレイ１０を本体ケース１の下部に装着する場合に、トレイ１０内におけるトレイ１０の着脱方向Ａにおける一方側（図１０における右側）の水は、トレイ１０内におけるトレイ１０の着脱方向Ａにおける他方側（図１０における左側）へ移動するので、第１の水位検知部材１９が装着されている第３の領域２４の水は、第２の水位検知部材２０が装着されている第４の領域２５へ流れ込む。結果として、少量の水がトレイ１０内に残った場合に、第４の領域２５に水が溜まり易くなる。
【００５５】
また、トレイ１０は、水平断面形状が矩形で、第２の水位検知部材２０は、トレイの着脱方向Ａにおけるトレイ１０の他方側の側面に隣接する。第２の水位検知部材２０が装着されている第４の領域２５は、トレイ１０の他方側の側面に隣接している。トレイ１０の取手２７をもって、トレイ１０を本体ケース１の下部に装着する場合、トレイ１０の着脱方向Ａにおける一方側である取手２７を備えた側より、他方側である第２の水位検知部材２０が装着されている第４の領域２５が下がるので、トレイ１０の他方側の側面を伝って、第４の領域２５に水が溜まり易くなる。
【００５６】
また、トレイの着脱方向Ａに対して直交する方向においてトレイの一方側（図１０における下側）の側面に、隣接して第１の水位検知部材１９と第２の水位検知部材２０とを配置した。第１の水位検知部材１９が装着されている第３の領域２４と、第２の水位検知部材２０が装着されている第４の領域２５とは、トレイ１０の着脱方向Ａに対して直交する方向において、トレイ１０の一方側（図１０における下側）の側面に隣接している。これにより、トレイ１０内の水を排水する場合に、取手２７を持って、トレイ１０の着脱方向Ａに対して直交する方向においてトレイ１０の一方側（図１０における下側）を、トレイ１０の着脱方向Ａに対して直交する方向においてトレイ１０の他方側（図１０における上側）より下げると、第３の領域２４と第４の領域２５とから同時に水を排水でき、排水作業が容易になる。
【００５７】
また、トレイ１０の着脱方向Ａに対して直交する方向において、トレイ１０の一方側（図１０における下側）の側面に隣接して電極を配置した。
【００５８】
電極が装着される第５の領域２６は、トレイ１０の着脱方向Ａに対して直交する方向において、トレイ１０の一方側（図１０における下側）の側面に隣接している。これにより、トレイ１０内の水を排水する場合に、取手２７を持って、トレイ１０の着脱方向Ａに対して直交する方向においてトレイ１０の一方側（図１０における下側）を、トレイ１０の着脱方向Ａに対して直交する方向においてトレイ１０の他方側（図１０における上側）より下げると、第３の領域２４と第４の領域２５と第５の領域２６とから同時に水を排水でき、排水作業が更に容易になる。
【００５９】
図１に示すように、また、報知部２１は排水ランプ２８である。トレイ１０内の水位が第１の水位検知部材１９より下がると、制御部１６によって排水ランプ２８が点滅し、本体ケース１からトレイ１０とタンク１１とを外し、本体ケース１にトレイ１０を装着したときに、トレイ１０内の水位が第２の水位検知部材２０より下がっていると制御部１６によって排水ランプが消灯する。  これにより、使用者に、トレイ１０内の水位を知らせることができる。
【産業上の利用可能性】
【００６０】
本発明は、空間に浮遊する微生物を除去する空気清浄装置であるが、浮遊微生物除去機能を有する加湿器としても適している。
【符号の説明】
【００６１】
１      本体ケース
２      吸気口
３      吹出口
４      風路
５      空気浄化部
６      送風部
７      モータ
８      羽根車
９      ケーシング
９Ａ    吐出口
９Ｂ    吸込口
１０      トレイ
１１      タンク
１２      電極部材
１３      フィルター部分
１４      キャップ
１５      フィルター
１６      制御部
１７      基板部分
１８      基板ケース部分
１９      第１の水位検知部材
１９Ａ    第１のフロート
１９Ｂ    第１の検知基板
２０      第２の水位検知部材
２０Ａ    第２のフロート
２０Ｂ    第２の検知基板
２１      報知部
２２      第１の領域
２３      第２の領域
２４      第３の領域
２５      第４の領域
２６      第５の領域
２７      取手
２８      排水ランプ
Ａ      着脱方向
Ｂ      距離
Ｃ      距離
【図１】
0006528081.tif 000002
【図２】
0006528081.tif 000003
【図３】
0006528081.tif 000004
【図４】
0006528081.tif 000005
【図５】
0006528081.tif 000006
【図６】
0006528081.tif 000007
【図７】
0006528081.tif 000008
【図８】
0006528081.tif 000009
【図９】
0006528081.tif 000010
【図１０】
0006528081.tif 000011